(57)【要約】【課題】調和のとれた和音が得られるハーモニカを提供する。【解決手段】各ホールにおいては、仕切りにより基音を発する主発音部となるメイン流路と、副音を発する副発音部となるサブ流路とが左右等分に仕切られている。また、各仕切りの先端部は前記各隔壁の開口先端部よりも内部へ引込んだ位置にある。【選択図】図１
2007271868.tif 000002
【特許請求の範囲】
【請求項１】
左右方向に延伸している横長のベース板に複数の隔壁を左右方向と直交に形成して該ベース板の上部と下部にてそれぞれ所定空気室を構成するための複数のアッパーホール及びボトムホールが並列し、各該ホールに仕切りにより基音を発する主発音部となるメイン流路と、副音を発する副発音部となるサブ流路とに左右均等に仕切られたハーモニカ本体と、
それぞれ上下から前記各隔壁及び各仕切りに橋接されていて前記各ホールを前方のみに開口した空気室にし、前記メイン流路及びサブ流路に対応してそれぞれ第１のスロット及び第２のスロットが開設され、また、第１のリード及び第２のリードがそれぞれの第１の端部を前記第１のスロット及び第２のスロットに固定して設けられたリード取付板と、
を備えてなることを特徴とするハーモニカ。
【請求項２】
前記各仕切りの先端は前記各隔壁の開口先端よりも短めに形成することを特徴とする請求項１に記載のハーモニカ。
【請求項３】
前記第１のリードと前記第２のリードとは音程が八度異なる音を発するようにすることを特徴とする請求項１に記載のハーモニカ。
【請求項４】
前記アッパーホールにおける各リードと前記ボトムホールにおける各リードとはそれぞれ八度異なる音を発するようにすることを特徴とする請求項３に記載のハーモニカ。
【請求項５】
前記第１のリードと前記第２のリードは同音を出すようにされることを特徴とする請求項１に記載のハーモニカ。
【請求項６】
同音の前記第１のリードと前記第２のリードは違う響きがするようにされることを特徴とする請求項５に記載のハーモニカ。
【請求項７】
前記ハーモニカ本体に、上下から２のカバーがそれぞれ前記２のリード取付板を覆うように設けられていることを特徴とする請求項１に記載のハーモニカ。
【発明の詳細な説明】
【技術分野】
【０００１】
本発明は、ハーモニカに関し、特に、四音ハーモニカに関する。
【背景技術】
【０００２】
図６は、従来のハーモニカ（複音）の構成例概略を示す分解斜視図である。このハーモニカ３は、ハーモニカ本体３１、２のリード取付板３２、３３及び２のカバー３４、３５から構成されている。
【０００３】
ハーモニカ本体３１は、左右方向に延伸している横長の隔板３１１の上下を向いた両面に複数の横断する仕切り３１２と隔板３１１の全長にわたって仕切り３１２の奥側先端と接する底板３１３とによってそれぞれ基音を発する発音部の通気路３１４が表面沿いに一列に形成されている。
【０００４】
２のリード取付板３２、３３は、それぞれ上下から複数の仕切り３１２に橋接されていて各通気路３１４を前方のみに開口した空気室に画成させている。また、２のリード取付板３２、３３に複数のリード３２１、３３１が各通気路３１４に対応すると共に音階に応じて右方へ漸次短くなるリード機構が設けられている。各リード３２１、３３１は、空気室への空気の流入（吹奏）及び流出（吸奏）に応じて、取付板３２、３３の裏面及び表面に取付けられており、空気の流れにより振動されて所定の音階の音を発生することができる。なお、ハーモニカの音程の違いは、リードの長さや厚さ、形状によって振動弾性を調整して決定されることができる。
【０００５】
カバー３４、３５は、上下からそれぞれリード取付板３２、３３を隙間を開けて覆うように設けられていてその中のリード機構などを保護すると共に、前記空気室内の共鳴を強めることができる。
【発明の開示】
【発明が解決しようとする課題】
【０００６】
この複音ハーモニカ３は、低音から高音までにわたって幅広い音階の基音を出すことができる。図７及び図８は、２４穴、Ｃ調のハーモニカについての音の配列の例を示す図である。図中、演奏時の気流の方向として矢印「↑」は呼気音、「↓」は吸気音を示す。図７の方は、単音ハーモニカの音階例であって、上下両穴に吹いたり吸ったりすると同じ音を出す。図８は、複音ハーモニカの音階例であり、上下両穴を吹いたり吸ったりすると八度異なる音が出す。なお、リードの厚さを調整すれば同音の音を出しても、共鳴して異なる響きがする。
【０００７】
しかしながら、この複音ハーモニカはクラシックやジャズなどの移調や半音階が大変多く使われる曲を演奏する場合、他にキーが異なる複数の半音を出すハーモニカと合わせて使用する必要があるなど、演奏にはかなり制限がある。
【０００８】
本発明は、上記問題点に鑑みてなされたもので、調和のとれた和音が得られるハーモニカを提供することを目的とする。
【課題を解決するための手段】
【０００９】
上記目的を達成すべく、本発明のハーモニカは、左右方向に延伸している横長なベース板に複数の隔壁を左右方向と直交に形成して該ベース板の上部と下部にてそれぞれ所定空気室を構成するための複数のアッパーホール及びボトムホールが並列し、各該ホールに仕切りにより基音を発する主発音部となるメイン流路と、副音を発する副発音部となるサブ流路とに左右均等に仕切られたハーモニカ本体と、それぞれ上下から前記各隔壁及び各仕切りに橋接されていて前記各ホールを前方のみに開口した空気室にし、前記メイン流路及びサブ流路に対応してそれぞれ第１のスロット及び第２のスロットが開設され、また、第１のリード及び第２のリードがそれぞれの第１の端部を前記第１のスロット及び第２のスロットに固定して設けられたリード取付板と、を備えてなることを特徴とする。
【００１０】
この構成においては、前記各仕切りの先端は前記各隔壁の開口先端よりも短めに、即ち、空気室がホール内に開口するように形成することが好ましい。
【００１１】
また、前記第１のリードと前記第２のリードとは音程が八度異なる音を発するようにすると好ましく、特に、前記アッパーホールにおける各リードと前記ボトムホールにおける各リードとはそれぞれ八度異なる音を発するようにする構成が好ましい。
【００１２】
また、前記第１のリードと前記第２のリードは一度即ち同音を出すようにされる構成がよく、特に、それぞれが同音の第１のリードと第２のリードは違う響きがするようにされる構成が好ましい。
【００１３】
また、前記ハーモニカ本体に、上下から２のカバーがそれぞれ前記２のリード取付板を覆うように設けられて内部にごみなどの侵入するのを防ぐと共に、前記空気室内の共鳴を増幅させることができる。
【発明の効果】
【００１４】
以上の構成により、ハーモニカ内には、各仕切りにより上下合わせて４つのスロット即ち４つの空気室が形成され、左右隣り合ったリードが吹奏または吸奏により同一音或いは八度異なった和音を発せるようにされたので、響きがよく、かつより調和した音を出すことができる。したがって、演奏に適するハーモニカを提供することができる。
【発明を実施するための最良の形態】
【００１５】
以下、図面を参照しながら、本発明の好ましい実施形態を説明する。
【００１６】
図１は、本発明の実施形態のハーモニカを概略にて示す分解斜視図であり、図２は同ハーモニカにおけるハーモニカ本体の上面図であり、図３は同ハーモニカにおけるリード取付板の上面図である。なお、下面図は上面図とは上下対称する構成であるので、図示を省略する。
【００１７】
ハーモニカ１は、図１に示すように、横長な形状に形成され、ハーモニカ本体４と、リード取付板５、６と、カバー７、８とをそなえている。
【００１８】
ハーモニカ本体４は、図１及び図２に示すように、左右と後部で一体形成されたフレーム４４に３方を囲まれて左右方向Ｘに延伸する横長なベース板４１に複数の隔壁４３が、長手のＸ方向と直交して直立に形成され、該ベース板４１の上部４１１と下部４１２にてそれぞれ所定空気室を構成するための複数のアッパーホール４５及びボトムホール４６が並列してＸ方向に直交する前後方向に長く形成される。各ホール４５、４６においては、仕切り４７、４８により基音を発する主発音部となるメイン流路４５１、４６１と、副音を発する副発音部となるサブ流路４５２、４６２とが左右等分に仕切られている。この例では、各仕切り４７、４８の先端部４７１、４８１は前記各隔壁４３の開口先端部４３１よりも内部へ引込んだ位置にある。また、底板４２は、Ｘ方向に沿いに且つベース板４１と隔壁４３などとも直交する方向に直立して各ホール４５、４６の後端部を塞げると共に、各該ホール４５、４６の奥行き深さが左から右へ次第に漸減するよう斜向状になっている。
【００１９】
リード取付板５、６は、図１及び図３に示すように、それぞれ上下から各隔壁４３及び各仕切り４７、４８に橋接されていて各ホール４５、４６を前方のみに開口した空気室４５０、４６０を画成し、複数のメイン流路４５１、４６１及びサブ流路４５２、４６２に対応して複数の第１のスロット５１、６１及び第２のスロット５２、６２が開設される。また、第１のリード５３、６３及び第２のリード５４、６４がそれぞれの第１の端部５３１、５４１、６３１、６４１を前記第１のスロット５１、６１及び第２のスロット５２、６２それぞれの底板４２寄り端部に固定されている。また、第１のリード５３及び第２のリード５４は吹奏に応じて、図３に示すように、第１のリード取付板５のベース板４１に面する裏側に取付けられ、隣り合った第１のリード５３及び第２のリード５４は吸奏に応じて表面側に取付けられる。なお、リードはそれぞれの音に応じて異なった長さや厚さ、形状によって振動弾性を調整して決定されることができる。
【００２０】
カバー７、８は、ハーモニカ本体４に上下からそれぞれのリード取付板５、６を覆うように設けられていて内部にごみなどが侵入するのを防ぐと共に、空気室４５０、４６０内の共鳴を増幅させることができる。
【００２１】
なお、図示しないが、ハーモニカ本体４に上側の各アッパーホール４５及び下側の各ボトムホール４６に対応して複数の吹口を有する前板がリード取付板とカバーと連結して一体に設けられる。
【００２２】
次に、このハーモニカの音階について説明する。
【００２３】
図４及び図５は、２４穴（吹口）、Ｃ調のハーモニカについての音の配列例を示す図である。図中、演奏時の気流の方向として矢印「↑」は吹奏、「↓」は吸奏を示す。
【００２４】
図４に示すように、リード取付板５、６のそれぞれの第１のリード５３、６３と第２のリード５４、６４とは、八度異なる音を発する構成、即ち、吹奏時のアッパーホール４５のメイン流路４５１にての取付板５の裏面側の第１のリード５３及びサブ流路４５２にての裏面側の第２のリード５４により、八度異なる音を出し、アッパーホール４５のメイン流路４５１にての第１のリード５３及びボトムホール４６のメイン流路４６１にての第２のリード６４により、音階が同一の音を出す。これにより、音がより澄んだ和音にすることができる。
【００２５】
また、図５に示すように、２のリード取付板５、６のそれぞれの第１のリード５３、６３と第２のリード５４、６４とは、音階が同一である音を出す構成、特に、アッパーホール４５における各リード５３、５４とボトムホール４６における各リード５３、５４とはそれぞれが同一音（一度和音）を出す。なお、第１のリード５３と第２のリード５４との音階を少々異ならせるように構成すれば、トレモロの効果が得られ、アコーディオンのような音色を出すことができる。
【産業上の利用可能性】
【００２６】
以上により、本発明のハーモニカによれば、音階が同一または異なる音を同時に出すことができるので、多彩な演奏に適するハーモニカを提供することができる。
【図面の簡単な説明】
【００２７】
【図１】本発明の実施形態のハーモニカを概略示す分解斜視図である。
【図２】同ハーモニカにおけるハーモニカ本体の上面図である。
【図３】同ハーモニカにおけるリード取付板の上面図である。
【図４】同ハーモニカについての音の配列例を示す図である
【図５】同ハーモニカについての音の配列の他の例を示す図である。
【図６】従来のハーモニカの構成例を概略示す分解斜視図である。
【図７】２４穴、Ｃ調のハーモニカについての音の配列例を示す図である
【図８】２４穴、Ｃ調のハーモニカについての音の配列の他の例を示す図である。
【符号の説明】
【００２８】
１              ハーモニカ
４              ハーモニカ本体
４１            ベース板
４１１          上部
４１２          下部
４２            底板
４３            隔壁
４３１          先端部
４４            フレーム
４５            アッパーホール
４５０、４６０  空気室
４５１、４６１  メイン流路
４５２、４６２  サブ流路
４６            ボトムホール
４７、４８      仕切り
４７１、４８１  先端部
５、６          リード取付板
５１、６１      第１のスロット
５２、６２      第２のスロット
５３、６３      第１のリード
５３１、５４１、６３１、６４１  第１の端部
５４、６４      第２のリード
７、８          カバー
【図１】
2007271868.tif 000003
【図２】
2007271868.tif 000004
【図３】
2007271868.tif 000005
【図４】
2007271868.tif 000006
【図５】
2007271868.tif 000007
【図６】
2007271868.tif 000008
【図７】
2007271868.tif 000009
【図８】
2007271868.tif 000010